【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
表示装置の表示色を目標色に近づけるための補正係数を算出する演算処理装置であって、
前記表示装置の１つの画素は、複数の原色にそれぞれ対応する複数のサブピクセルから構成されており、
前記演算処理装置は、
前記複数の原色のいずれかを表す複数の単色画像データのそれぞれについて、前記表示装置の表示色の測定値である第１測定値を取得する第１取得手段と、
２つ以上の原色を混合した混色を表す複数の第１混色画像データのそれぞれについて、前記表示装置の表示色の測定値である第２測定値を取得する第２取得手段と、
前記複数の第１測定値と前記複数の第２測定値に基づいて、各第１混色画像データの補正係数を算出する算出手段と、
前記算出手段により算出された各補正係数から、前記複数の第１混色画像データとは異なる混色を表す第２混色画像データの補正係数を推定する第１推定手段と、を備え、
前記表示装置の画素が第１原色のサブピクセルの一方の隣に第１原色とは異なる第２原色のサブピクセルが配置されている構造をもつ場合に、
前記第１推定手段は、前記第２混色画像データと第１原色の階調値が同じである第１混色画像データの第１原色に対する補正係数に基づいて、前記第２混色画像データの第１原色に対する補正係数を求める
ことを特徴とする演算処理装置。
【請求項２】
前記単色画像データは、１つの原色のサブピクセルを駆動する画像データであり、
前記第１混色画像データ及び前記第２混色画像データは、２つ以上の原色のサブピクセルを駆動する画像データであり、
前記第２混色画像データは、各原色の階調値の組み合わせが前記複数の第１混色画像データと異なる画像データである
ことを特徴とする請求項１に記載の演算処理装置。
【請求項３】
前記算出手段は、前記複数の第１混色画像データのそれぞれについて、その第１混色画像データの第２測定値と当該第１混色画像データと同じ階調値をもつ各原色の単色画像データの第１測定値とから、当該第１混色画像データの補正係数を算出する
ことを特徴とする請求項１または２に記載の演算処理装置。
【請求項４】
前記第１推定手段は、前記第２混色画像データと第１原色の階調値が同じである第１混色画像データの第１原色に対する補正係数に対し、当該第１混色画像データと前記第２混色画像データのあいだの第２原色の階調値の相違による修正を加えることによって、前記第２混色画像データの第１原色に対する補正係数を求める
ことを特徴とする請求項１〜３のいずれか１項に記載の演算処理装置。
【請求項５】
前記第２混色画像データの第１原色の階調値がａ、第２原色の階調値がｂであり、
前記第２混色画像データと第１原色の階調値が同じである第１混色画像データの第２原色の階調値がｍである場合に、
前記第１推定手段は、前記第２混色画像データの第１原色に対する補正係数Ｃ（ａ，ｂ）を、下記式により求めることを特徴とする請求項１〜４のいずれか１項に記載の演算処理装置。
Ｃ（ａ，ｂ）＝Ｃ１（ａ，ｍ）×ｐ
ここで、Ｃ１（ｘ，ｙ）は、第１原色の階調値がｘ、第２原色の階調値がｙである第１混色画像データの第１原色に対する補正係数であり、
ｐは、第１混色画像データと第２混色画像データのあいだの第２原色の階調値の相違による修正係数である。
【請求項６】
前記第１推定手段は、
第１原色の階調値がａとは異なる値ｎであり、第２原色の階調値がｂである第１混色画像データの第１原色に対する補正係数Ｃ１（ｎ，ｂ）と、
第１原色の階調値がｎであり、第２原色の階調値がｍである第１混色画像データの第１原色に対する補正係数Ｃ１（ｎ，ｍ）とから、
前記修正係数ｐを求めることを特徴とする請求項５に記載の演算処理装置。
【請求項７】
前記第１推定手段は、前記修正係数ｐを下記式により求めることを特徴とする請求項６に記載の演算処理装置。
ｐ＝Ｃ１（ｎ，ｂ）／Ｃ１（ｎ，ｍ）
【請求項８】
前記第１推定手段により推定された補正係数を用いて、第２混色画像データについての前記表示装置の表示色を推定する第２推定手段を更に有する
ことを特徴とする請求項１〜７のいずれか１項に記載の演算処理装置。
【請求項９】
前記第１取得手段で取得された第１測定値、前記第２取得手段で取得された第２測定値、及び、前記第２推定手段で推定された表示色を用いて、表示装置の表示色を目標色に近づける画像処理で使用する補正テーブルを生成する生成手段を更に有する
ことを特徴とする請求項８に記載の演算処理装置。
【請求項１０】
表示装置の表示色を目標値に近づけるための補正係数を算出する演算処理方法であって、
前記表示装置の１つの画素は、複数の原色にそれぞれ対応する複数のサブピクセルから構成されており、
前記演算処理方法は、
コンピュータが、前記複数の原色のいずれかを表す複数の単色画像データのそれぞれについて、前記表示装置の表示色の測定値である第１測定値を取得する第１取得ステップと、
コンピュータが、２つ以上の原色を混合した混色を表す複数の第１混色画像データのそれぞれについて、前記表示装置の表示色の測定値である第２測定値を取得する第２取得ス
テップと、
コンピュータが、前記複数の第１測定値と前記複数の第２測定値に基づいて、各第１混色画像データの補正係数を算出する算出ステップと、
コンピュータが、前記算出ステップにより算出された各補正係数から、前記複数の第１混色画像データとは異なる混色を表す第２混色画像データの補正係数を推定する第１推定ステップと、を有し、
前記表示装置の画素が第１原色のサブピクセルの一方の隣に第１原色とは異なる第２原色のサブピクセルが配置されている構造をもつ場合に、
前記第１推定ステップでは、前記第２混色画像データと第１原色の階調値が同じである第１混色画像データの第１原色に対する補正係数に基づいて、前記第２混色画像データの第１原色に対する補正係数が求められる
ことを特徴とする演算処理方法。
【請求項１１】
前記単色画像データは、１つの原色のサブピクセルを駆動する画像データであり、
前記第１混色画像データ及び前記第２混色画像データは、２つ以上の原色のサブピクセルを駆動する画像データであり、
前記第２混色画像データは、各原色の階調値の組み合わせが前記複数の第１混色画像データと異なる画像データである
ことを特徴とする請求項１０に記載の演算処理方法。
【請求項１２】
前記算出ステップでは、前記複数の第１混色画像データのそれぞれについて、その第１混色画像データの第２測定値と当該第１混色画像データと同じ階調値をもつ各原色の単色画像データの第１測定値とから、当該第１混色画像データの補正係数が算出される
ことを特徴とする請求項１０または１１に記載の演算処理方法。
【請求項１３】
前記第１推定ステップでは、前記第２混色画像データと第１原色の階調値が同じである第１混色画像データの第１原色に対する補正係数に対し、当該第１混色画像データと前記第２混色画像データのあいだの第２原色の階調値の相違による修正を加えることによって、前記第２混色画像データの第１原色に対する補正係数が求められる
ことを特徴とする請求項１０〜１２のいずれか１項に記載の演算処理方法。
【請求項１４】
前記第２混色画像データの第１原色の階調値がａ、第２原色の階調値がｂであり、
前記第２混色画像データと第１原色の階調値が同じである第１混色画像データの第２原色の階調値がｍである場合に、
前記第１推定ステップでは、前記第２混色画像データの第１原色に対する補正係数Ｃ（ａ，ｂ）を、下記式により求めることを特徴とする請求項１０〜１３のいずれか１項に記載の演算処理方法。
Ｃ（ａ，ｂ）＝Ｃ１（ａ，ｍ）×ｐ
ここで、Ｃ１（ｘ，ｙ）は、第１原色の階調値がｘ、第２原色の階調値がｙである第１混色画像データの第１原色に対する補正係数であり、
ｐは、第１混色画像データと第２混色画像データのあいだの第２原色の階調値の相違による修正係数である。
【請求項１５】
前記第１推定ステップでは、
第１原色の階調値がａとは異なる値ｎであり、第２原色の階調値がｂである第１混色画像データの第１原色に対する補正係数Ｃ１（ｎ，ｂ）と、
第１原色の階調値がｎであり、第２原色の階調値がｍである第１混色画像データの第１原色に対する補正係数Ｃ１（ｎ，ｍ）とから、
前記修正係数ｐを求めることを特徴とする請求項１４に記載の演算処理方法。
【請求項１６】
前記第１推定ステップでは、前記修正係数ｐを下記式により求めることを特徴とする請求項１５に記載の演算処理方法。
ｐ＝Ｃ１（ｎ，ｂ）／Ｃ１（ｎ，ｍ）
【請求項１７】
コンピュータが、前記第１推定ステップにより推定された補正係数を用いて、第２混色画像データについての前記表示装置の表示色を推定する第２推定ステップを更に有する
ことを特徴とする請求項１０〜１６のいずれか１項に記載の演算処理方法。
【請求項１８】
コンピュータが、前記第１取得ステップで取得された第１測定値、前記第２取得ステップで取得された第２測定値、及び、前記第２推定ステップで推定された表示色を用いて、表示装置の表示色を目標値に近づける画像処理で使用する補正テーブルを生成する生成ステップを更に有する
ことを特徴とする請求項１７に記載の演算処理方法。
【手続補正２】
【補正対象書類名】明細書
【補正対象項目名】発明の名称
【補正方法】変更
【補正の内容】
【発明の名称】演算処理装置及び演算処理方法
【手続補正３】
【補正対象書類名】明細書
【補正対象項目名】０００８
【補正方法】変更
【補正の内容】
【０００８】
本発明の演算処理装置は、
表示装置の表示色を目標色に近づけるための補正係数を算出する演算処理装置であって、
前記表示装置の１つの画素は、複数の原色にそれぞれ対応する複数のサブピクセルから構成されており、
前記演算処理装置は、
前記複数の原色のいずれかを表す複数の単色画像データのそれぞれについて、前記表示装置の表示色の測定値である第１測定値を取得する第１取得手段と、
２つ以上の原色を混合した混色を表す複数の第１混色画像データのそれぞれについて、前記表示装置の表示色の測定値である第２測定値を取得する第２取得手段と、
前記複数の第１測定値と前記複数の第２測定値に基づいて、各第１混色画像データの補正係数を算出する算出手段と、
前記算出手段により算出された各補正係数から、前記複数の第１混色画像データとは異なる混色を表す第２混色画像データの補正係数を推定する第１推定手段と、を備え、
前記表示装置の画素が第１原色のサブピクセルの一方の隣に第１原色とは異なる第２原色のサブピクセルが配置されている構造をもつ場合に、
前記第１推定手段は、前記第２混色画像データと第１原色の階調値が同じである第１混色画像データの第１原色に対する補正係数に基づいて、前記第２混色画像データの第１原色に対する補正係数を求める
ことを特徴とする。
【手続補正４】
【補正対象書類名】明細書
【補正対象項目名】０００９
【補正方法】変更
【補正の内容】
【０００９】
本発明の演算処理方法は、
表示装置の表示色を目標値に近づけるための補正係数を算出する演算処理方法であって、
前記表示装置の１つの画素は、複数の原色にそれぞれ対応する複数のサブピクセルから構成されており、
前記演算処理方法は、
コンピュータが、前記複数の原色のいずれかを表す複数の単色画像データのそれぞれについて、前記表示装置の表示色の測定値である第１測定値を取得する第１取得ステップと、
コンピュータが、２つ以上の原色を混合した混色を表す複数の第１混色画像データのそれぞれについて、前記表示装置の表示色の測定値である第２測定値を取得する第２取得ステップと、
コンピュータが、前記複数の第１測定値と前記複数の第２測定値に基づいて、各第１混色画像データの補正係数を算出する算出ステップと、
コンピュータが、前記算出ステップにより算出された各補正係数から、前記複数の第１混色画像データとは異なる混色を表す第２混色画像データの補正係数を推定する第１推定ステップと、を有し、
前記表示装置の画素が第１原色のサブピクセルの一方の隣に第１原色とは異なる第２原色のサブピクセルが配置されている構造をもつ場合に、
前記第１推定ステップでは、前記第２混色画像データと第１原色の階調値が同じである第１混色画像データの第１原色に対する補正係数に基づいて、前記第２混色画像データの第１原色に対する補正係数が求められる
ことを特徴とする。